(57)【要約】【課題】ユーザに電子通貨を適切に利用させる。【解決手段】キャリアサーバ３は、ユーザを識別するユーザＩＤと、当該ユーザＩＤに対応するユーザが保有する電子通貨の残高にチャージする金額を示す金額情報とを含み、チャージを要求するためのチャージ要求を受け付ける受付部３５１と、チャージ要求を受け付けると、ユーザＩＤに対応する電子通貨の残高に金額をチャージするチャージ部３５２と、チャージ要求を受け付けると、ユーザＩＤに対応するユーザに金額の支払を請求する請求部３５３と、ユーザに請求された金額の支払状況に基づいて、所定期間においてチャージすることができる金額の限度額を設定する設定部３５４とを備える。【選択図】図８
2016071656.tif 000002
【特許請求の範囲】
【請求項１】
ユーザを識別する識別情報と、当該識別情報に対応するユーザが保有する電子通貨の残高にチャージする金額を示す金額情報とを含み、チャージを要求するためのチャージ要求を受け付ける受付部と、
前記チャージ要求を受け付けると、前記識別情報に対応する前記電子通貨の残高に前記金額をチャージするチャージ部と、
前記チャージ要求を受け付けると、前記識別情報に対応する前記ユーザに前記金額の支払を請求する請求部と、
前記ユーザに請求された前記金額の支払状況に基づいて、所定期間においてチャージすることができる金額の限度額を設定する設定部と、
を備える電子通貨管理装置。
【請求項２】
前記識別情報と、当該識別情報に対応するユーザの所定のサービスに関連する契約情報とを関連付けたユーザ情報を記憶するユーザ情報記憶部をさらに備え、
前記設定部は、前記契約情報に基づいて、前記限度額を設定する、
請求項１に記載の電子通貨管理装置。
【請求項３】
前記ユーザ情報記憶部は、前記契約情報に含まれる情報として前記ユーザの属性をさらに記憶し、
前記設定部は、前記ユーザの属性に基づいて前記限度額を設定する、
請求項２に記載の電子通貨管理装置。
【請求項４】
前記ユーザ情報記憶部は、前記ユーザの属性として当該ユーザの年齢を示す年齢情報を記憶し、
前記設定部は、前記ユーザの年齢に基づいて前記限度額を設定する、
請求項３に記載の電子通貨管理装置。
【請求項５】
前記ユーザ情報記憶部は、前記契約情報に含まれる情報として前記ユーザの契約期間を示す情報を記憶し、
前記設定部は、前記契約期間を示す情報に基づいて前記限度額を設定する、
請求項２から４のいずれか１項に記載の電子通貨管理装置。
【請求項６】
前記設定部は、前記識別情報に対応する、所定のサービスに関連する請求額の支払状況にさらに基づいて、前記限度額を設定する、
請求項１から５のいずれか１項に記載の電子通貨管理装置。
【請求項７】
前記所定のサービスは、後払い方式の決済方法を利用した決済サービスであるとともに、前記所定期間における利用限度額が設定されており、
前記限度額は、前記利用限度額以下の金額であり、
前記設定部は、前記識別情報に対応する、所定のサービスに関連する請求額の支払状況にさらに基づいて、前記限度額及び前記利用限度額を設定する、
請求項６に記載の電子通貨管理装置。
【請求項８】
前記設定部は、前記ユーザが前記支払を行った際の支払方法に基づいて前記限度額を設定する、
請求項１から７のいずれか１項に記載の電子通貨管理装置。
【請求項９】
前記支払の請求先を識別する請求識別情報と、当該請求先における所定期間における前記限度額と、当該請求先に紐づく前記識別情報のユーザがチャージした金額の合計とを関連付けた限度額情報をさらに記憶し、
前記チャージ部は、前記チャージ要求を受け付けた場合に、当該チャージ要求に含まれる識別情報に関連付けられている前記請求先に対応する、前記チャージした金額の合計と、受け付けた前記金額との合計額が、前記請求先における所定期間における前記限度額を超えるとき、チャージしない、
請求項１から８のいずれか１項に記載の電子通貨管理装置。
【請求項１０】
ユーザを識別する識別情報と、当該識別情報に対応するユーザが保有する電子通貨の残高にチャージする金額を示す金額情報とを含み、チャージを要求するためのチャージ要求を受け付けるステップと、
前記チャージ要求を受け付けると、前記識別情報に対応する前記電子通貨の残高に前記金額をチャージするステップと、
前記チャージ要求を受け付けると、前記識別情報に対応する前記ユーザに前記金額の支払を請求するステップと、
前記ユーザに請求された前記金額の支払状況に基づいて、所定期間においてチャージすることができる金額の限度額を設定するステップと、
を備える電子通貨管理方法。
【発明の詳細な説明】
【技術分野】
【０００１】
本発明は、電子通貨管理装置及び電子通貨管理方法に関する。
【背景技術】
【０００２】
従来より、金銭価値を有するクレジット、ポイント及びクーポン等の電子通貨の残高をコンピュータで管理することが知られている。特許文献１には、ユーザの口座に電子通貨を格納し、口座番号を記憶した携帯端末を用いて電子通貨による決済をする方法が開示されている。
【先行技術文献】
【特許文献】
【０００３】
【特許文献１】特表２０１０−５０５１９２号公報
【発明の概要】
【発明が解決しようとする課題】
【０００４】
ところで、電子通貨の残高を増額させる方法は複数存在する。例えば、電子通貨の残高を増額させるとともに、当該増額分の金銭価値を後払いする方法が存在する。この方法によれば、ユーザは、現時点において現預金を持ち合わせていない場合であっても電子通貨の残高を増額させることができるものの、後払いする際に支払うことができないという問題が発生するおそれがある。この問題は、電子通貨に係るサービスを提供する事業者にとっても問題となる。
【０００５】
そこで、本発明はこれらの点に鑑みてなされたものであり、ユーザに電子通貨を適切に利用させることができる電子通貨管理装置及び電子通貨管理方法を提供することを目的とする。
【課題を解決するための手段】
【０００６】
本発明の第１の態様に係る電子通貨管理装置は、ユーザを識別する識別情報と、当該識別情報に対応するユーザが保有する電子通貨の残高にチャージする金額を示す金額情報とを含み、チャージを要求するためのチャージ要求を受け付ける受付部と、前記チャージ要求を受け付けると、前記識別情報に対応する前記電子通貨の残高に前記金額をチャージするチャージ部と、前記チャージ要求を受け付けると、前記識別情報に対応する前記ユーザに前記金額の支払を請求する請求部と、前記ユーザに請求された前記金額の支払状況に基づいて、所定期間においてチャージすることができる金額の限度額を設定する設定部と、を備える。
【０００７】
前記電子通貨管理装置は、前記識別情報と、当該識別情報に対応するユーザの所定のサービスに関連する契約情報とを関連付けたユーザ情報を記憶するユーザ情報記憶部をさらに備え、前記設定部は、前記契約情報に基づいて、前記限度額を設定してもよい。
【０００８】
前記ユーザ情報記憶部は、前記契約情報に含まれる情報として前記ユーザの属性をさらに記憶し、前記設定部は、前記ユーザの属性に基づいて前記限度額を設定してもよい。
前記ユーザ情報記憶部は、前記ユーザの属性として当該ユーザの年齢を示す年齢情報を記憶し、前記設定部は、前記ユーザの年齢に基づいて前記限度額を設定してもよい。
【０００９】
前記ユーザ情報記憶部は、前記契約情報に含まれる情報として前記ユーザの契約期間を示す情報を記憶し、前記設定部は、前記契約期間を示す情報に基づいて前記限度額を設定してもよい。
前記設定部は、前記識別情報に対応する、所定のサービスに関連する請求額の支払状況にさらに基づいて、前記限度額を設定してもよい。
前記設定部は、前記ユーザが前記支払を行った際の支払方法に基づいて前記限度額を設定してもよい。
【００１０】
前記所定のサービスは、後払い方式の決済方法を利用した決済サービスであるとともに、前記所定期間における利用限度額が設定されており、前記限度額は、前記利用限度額以下の金額であり、前記設定部は、前記識別情報に対応する、所定のサービスに関連する請求額の支払状況にさらに基づいて、前記限度額及び前記利用限度額を設定してもよい。
【００１１】
前記支払の請求先を識別する請求識別情報と、当該請求先における所定期間における前記限度額と、当該請求先に紐づく前記識別情報のユーザがチャージした金額の合計とを関連付けた限度額情報をさらに記憶し、前記チャージ部は、前記チャージ要求を受け付けた場合に、当該チャージ要求に含まれる識別情報に関連付けられている前記請求先に対応する、前記チャージした金額の合計と、受け付けた前記金額との合計額が、前記請求先における所定期間における前記限度額を超えるとき、チャージしないようにしてもよい。
【００１２】
本発明の第２の態様に係る電子通貨管理方法は、ユーザを識別する識別情報と、当該識別情報に対応するユーザが保有する電子通貨の残高にチャージする金額を示す金額情報とを含み、チャージを要求するためのチャージ要求を受け付けるステップと、前記チャージ要求を受け付けると、前記識別情報に対応する前記電子通貨の残高に前記金額をチャージするステップと、前記チャージ要求を受け付けると、前記識別情報に対応する前記ユーザに前記金額の支払を請求するステップと、前記ユーザに請求された前記金額の支払状況に基づいて、所定期間においてチャージすることができる金額の限度額を設定するステップと、を備える。
【発明の効果】
【００１３】
本発明によれば、ユーザに電子通貨を適切に利用させることができるという効果を奏する。
【図面の簡単な説明】
【００１４】
【図１】本発明の電子通貨管理システムの概要を示す図である。
【図２】電子通貨管理システムのシステム構成を示す図である。
【図３】電子通貨管理システムを構成する各サーバで管理する情報を示す図である。
【図４】ユーザ端末の表示画面例を示す図である。
【図５】カード発行時の動作を示す図である。
【図６】カード発行時の処理の流れを示す図である。
【図７】チャージメニュー画面を示す図である。
【図８】キャリアサーバのチャージに係る構成を示す図である。
【図９】限度額情報記憶部及びユーザ情報記憶部に記憶されている情報を示す図である。
【図１０】チャージ画面を示す図である。
【図１１】チャージに係る処理の流れを示す図である。
【図１２】カードを用いて商品を購入する際の動作を示す図である。
【図１３】ユーザに対してポイントを付与する際の動作を示す図である。
【図１４】ユーザに対してユーザ固有のサービスを提供する際の動作を示す図である。
【発明を実施するための形態】
【００１５】
［電子通貨管理システムＳの概要］
初めに、図１を参照して、電子通貨管理システムＳの概要について説明する。電子通貨管理システムＳは、ユーザがカード１１を用いて使用することができる電子通貨の残高を管理し、ユーザの携帯電話（以下、ユーザ端末１２）からカード１１の管理を可能にするシステムである。電子通貨とは、クレジット、ポイント及びクーポン等のように、金銭価値を有する無形の通貨である。カードは、例えば、電子通貨を用いて商品やサービスを購入する際に使用できるクレジットカード又はプリペイドカードである。
【００１６】
ユーザは、予めカード１１に関連付けられた口座に電子通貨を貯めて、商品やサービスを購入する際に、カード１１を用いて、当該口座に格納された電子通貨を使用することができる。電子通貨管理システムＳでは、ユーザ端末１２が、例えば携帯電話網の基地局を介してアクセス可能な電子通貨管理装置１０においてカード１１とユーザ端末１２とを連携させることで、ユーザ端末１２を用いたカード管理を実現している。具体的には、電子通貨管理システムＳでは、ユーザ端末１２を用いて、プリペイド式のカードへのチャージ（入金）や、カード残高、付与されたポイント及び利用履歴の確認等を実現している。
【００１７】
ユーザは、多様な方法で電子通貨を貯めることができる。ユーザは、例えば、カード１１に設定されたカード番号によって指定される口座に現金を振り込んだり、ユーザ端末１２やクレジットカードを介して決済したりしてチャージすることにより電子通貨を貯めることができる。また、ユーザは、カード１１を用いて現実店舗やオンライン店舗で買い物をして、購入額等に応じたポイントを受け取ることにより、電子通貨を貯めることもできる。ユーザは、カード１１に関連付けられた電子通貨の残高をユーザ端末１２から確認することができるので、電子通貨を貯めて、様々な用途で利用する意欲が高まる。
以下、電子通貨管理システムＳを実現するための具体的な構成の一例について説明する。
【００１８】
［電子通貨管理システムＳのシステム構成］
図２は、電子通貨管理システムＳのシステム構成の一例を示す図である。図２に示すように、電子通貨管理システムＳは、ユーザ機器１と、ユーザ機器１がアクセス可能な電子通貨管理装置１０と、を含んで構成される。電子通貨管理装置１０は、カード管理サーバ２と、キャリアサーバ３と、ポイント管理サーバ４と、を含んで構成される。
【００１９】
ユーザ機器１は、電子通貨管理システムＳが提供するサービスを利用する各ユーザが用いる機器であり、カード１１と、ユーザ端末１２と、を含む。
【００２０】
カード１１は、国際ブランドの決済ＮＷ５０を利用して決済を行うカードであり、予めチャージしておいた金額に基づいて利用額の決済を行えるプリペイドカードである。なお、カード１１として、プリペイドカードに代えて（又は加えて）利用額を後払いするクレジットカード又はチャージ額を後払いするポストペイ型カードを用いることとしてもよい。
ユーザ端末１２は、通信キャリアが提供する通信ＮＷを介して通信（通話）を行う通信装置であり、例えば、携帯電話、スマートフォン、タブレットＰＣ等である。ユーザ端末１２には、所定のアプリケーションプログラムがインストールされており、当該プログラムに基づき実行されるアプリケーションを介して、ユーザ端末１２からカード１１の管理をすることができる。
【００２１】
カード管理サーバ２は、カード１１の利用履歴をユーザ毎に管理するサーバであり、当該カード１１に関する情報を記憶する。ここで、図３（Ａ）にカード管理サーバ２に記憶される各種情報の一例を示す。図３（Ａ）に示すように、カード管理サーバ２では、管理番号に関連付けてプリペイドカード番号（以下、単に「カード番号」と呼ぶ）、残高、及び利用履歴等の各種情報を記憶する。
カード番号は、カード１１に設定された概ね１６桁の英数字からなる番号であり、カード１１を識別するための識別情報である。管理番号は、カード番号に対して一意に対応する番号であり、他サーバと連携する際にカード番号に代えてカード１１を識別するために用いられる。残高は、カード１１に設定されたカード番号によって指定される口座にチャージされた金額の残高を示す情報である。利用履歴は、カード１１を用いた買い物の履歴であり、購入日時、購入対象の商品／サービス、購入額、購入場所（店舗名）等を含む。
【００２２】
キャリアサーバ３は、通信キャリアが用いるサーバであり、通信キャリアが提供するサービスのユーザ端末１２の利用履歴をユーザ毎に管理する。キャリアサーバ３は、利用履歴に基づいて、ユーザに対する請求額を算出する。また、キャリアサーバ３は、通信キャリアが提供するサービスをユーザ端末１２に提供する入口（ポータル）として機能する。例えば、キャリアサーバ３は、ユーザ端末１２からの要求に応じて、ユーザＩＤに関連付けられたカード番号に対応する口座に貯まっている電子通貨の残高をポイント管理サーバ４から取得し、ユーザ端末１２に電子通貨の残高を通知することができる。また、キャリアサーバ３は、ユーザＩＤに関連付けられたポイントをポイント管理サーバ４から取得し、ユーザ端末１２にポイントの残高を通知してもよい。
【００２３】
ここで、図３（Ｂ）にキャリアサーバ３において管理される各種情報の一例を示す。図３（Ｂ）に示すように、キャリアサーバ３では、ユーザＩＤに関連付けて、ユーザ端末１２の電話番号、請求額、契約ＩＤ、及び契約者名等の各種情報を記憶する。
ユーザＩＤは、ユーザ端末１２又は当該ユーザ端末１２を用いるユーザを識別する識別情報である。電話番号は、通信端末であるユーザ端末１２に設定された電話番号である。請求額は、ユーザ端末１２の利用に伴いユーザに対して請求する金額であり、例えば、通信料金、及びユーザ端末１２の通信料金と併せて決済するキャリア決済に係る支払額を含む。ここで、キャリア決済は、後払い方式の決済方法を利用した決済サービスである。キャリア決済に係る支払額は、ユーザ端末１２で利用したコンテンツの利用料金、ユーザ端末１２を介してカード１１にチャージすることによって発生した支払額を含む。なお、通信キャリアによっては、携帯電話だけでなく、固定電話やケーブルテレビ等の複合的なサービスをユーザに提供することがあるため、請求額には、ユーザＩＤが示すユーザに対して通信キャリアが提供しているサービスに関する料金を含めることとしてもよい。また、契約ＩＤは、通信キャリアと結んだ契約を識別する識別情報であり、契約者が、当該契約を行ったことを示す情報である。通信キャリアでは、通信料金等を同一人又は家族の範囲でまとめて請求することがある。契約ＩＤ及び契約者名は、通信料金の請求をまとめる範囲、及びまとめた通信料金を請求する対象を判別するための情報である。
【００２４】
なお、キャリアサーバ３は、ユーザＩＤに関連付けて、ユーザ端末１２の契約内容、契約期限、契約日時、契約期間等の契約に関する情報である契約情報、また、ユーザ端末１２の利用に応じた請求額の支払いが済んでいる／遅延しているといった通信料金等の支払状況に関する情報を記憶することとしてもよい。
【００２５】
ポイント管理サーバ４は、カード１１の利用（例えば、カードを用いた買い物）に応じたポイントと、ユーザ端末１２又はユーザＩＤが示すユーザに対して提供しているサービスの利用に応じたポイントとを統合して管理するサーバである。ここで、図３（Ｃ）及び図３（Ｄ）にポイント管理サーバ４において管理される各種情報の一例を示す。
図３（Ｃ）に示すように、ポイント管理サーバ４では、ユーザＩＤに関連付けて、管理番号、ポイント、及び明細情報等の各種情報を記憶する。ユーザＩＤは、ユーザ端末１２を用いるユーザを識別する識別情報であり、キャリアサーバ３と連携する際に用いられる。管理番号は、カード番号に一意に対応する番号であり、カード管理サーバ２と連携する際に用いられる。ポイントは、キャリアサーバ３から取得した請求額、及びカード管理サーバ２から取得した購入額（即ち、購入した商品の決済金額）に応じて、対応するユーザに対して付与されたポイント数を示す情報である。明細情報は、カード１１及びポイントの利用履歴を含む情報であり、カード１１を用いた買い物の履歴、及びユーザに対して付与されたポイントの履歴を示す。
【００２６】
また、図３（Ｄ）に示すように、ポイント管理サーバ４では、購入額や請求額に基づいて付与するポイントを算出するためのポイント付与レートを、利用形態に関連付けて記憶する。利用形態としては、カード１１の利用又はユーザ端末１２の利用が考えられるが、これら以外にも、カード１１を利用した店舗が通常店であるか、ポイント優遇店であるか等に応じて、レートを異ならせることとしてもよい。なお、カード１１を利用した店舗を示す情報は、カード管理サーバ２から利用履歴を受信することで、取得することができる。
【００２７】
ポイント管理サーバ４は、カード管理サーバ２がカード番号に関連付けて管理する電子通貨の残高を、ユーザＩＤに関連付けて記憶してもよい。この場合、ポイント管理サーバ４は、カード管理サーバ２において電子通貨の残高が更新されたタイミングに同期して、記憶している電子通貨の残高を更新する。ポイント管理サーバ４は、ユーザ端末１２からの要求に応じて、当該ユーザ端末１２に対応するユーザＩＤに関連付けて記憶した電子通貨の残高を記憶部から読み出し、キャリアサーバ３を介して、電子通貨の残高をユーザ端末１２に通知することができる。なお、ポイント管理サーバ４は、ユーザ端末１２から電子通貨の残高を要求されたタイミングで、カード管理サーバ２からユーザＩＤに対応するカード番号に関連付けられた電子通貨の残高を取得し、取得した残高をユーザ端末１２に通知してもよい。
【００２８】
以上のとおり、電子通貨管理システムＳでは、カード管理サーバ２と、キャリアサーバ３と、ポイント管理サーバ４とが連携することにより、カード番号とユーザＩＤとを関連付けて管理することができる。即ち、電子通貨管理システムＳは、カード識別情報とユーザ端末１２を用いるユーザを識別するユーザ識別情報とを関連付けて管理する。具体的には、電子通貨管理システムＳでは、ポイント管理サーバ４が、カード番号及びユーザＩＤのいずれにも関連付けられた管理番号を介して、カード番号とユーザＩＤとを関連付ける。
【００２９】
そして、電子通貨管理システムＳは、カード管理サーバ２において、カード番号に関連付けて、カード１１による決済が可能な電子通貨の残高を管理する。キャリアサーバ３は、ユーザ端末１２からの要求に応じて、ユーザＩＤに関連付けられたカード番号に対応する口座に貯まっている電子通貨の残高を、ポイント管理サーバ４を介してカード管理サーバ２から取得し、ユーザ端末１２に電子通貨の残高を通知することができる。このようにすることで、電子通貨管理システムＳにおいては、ユーザが、電子通貨の口座に関する情報をユーザ端末１２に入力することなく、あたかもユーザ端末１２に関連付けて電子通貨が管理されているかのような感覚で、電子通貨の残高を把握することができる。
【００３０】
また、以上の構成の電子通貨管理システムＳでは、ポイント管理サーバ４は、カード管理サーバ２において管理されるカード１１の利用状況と、キャリアサーバ３において管理されるユーザ端末１２の利用状況とを統合し、ポイントの統合を実現する。具体的には、ポイント管理サーバ４は、管理番号とユーザＩＤとを連携させることで、カード１１の利用状況とユーザ端末１２の利用状況とを統合する。
【００３１】
ポイント管理サーバ４では、統合された情報をユーザＩＤに関連付けて管理するため、ユーザＩＤをキーとして、該当するユーザのカード１１の利用状況及びユーザ端末１２の利用状況を取得することができる。
そこで、電子通貨管理システムＳでは、ユーザ端末１２を用いるユーザがユーザＩＤを指定して要求を行うと、当該ユーザがポイント管理サーバ４で管理される各種情報を把握可能にしている。具体的には、ユーザ端末１２が、ユーザＩＤを含む所定の情報をキャリアサーバ３に送信すると、キャリアサーバ３は、このユーザＩＤをキーとしてポイント管理サーバ４から関連する各種情報を取得し、ユーザ端末１２に対して提供する。なお、ポイント管理サーバ４及びキャリアサーバ３は、前回要求時に提供した情報に対する差分の情報を、ユーザ端末１２に対して提供することとしてもよい。
【００３２】
［ユーザ端末１２の表示画面例］
ここで、キャリアサーバ３から提供される各種情報に基づきユーザ端末１２に表示される表示画面の一例を図４に示す。図４（Ａ）は、上述のアプリケーション実行中に表示されるトップ画面の一例を示す表示画面２００であり、図４（Ｂ）は、当該アプリケーション実行中に表示されるメニュー画面の一例を示す表示画面２１０である。
【００３３】
図４（Ａ）に示すように、表示画面２００は、カード残高表示２０１と、ポイント数表示２０２と、チャージボタン２０３と、メニューボタン２０４と、を含んで構成される。
カード残高表示２０１は、プリペイド式のカード１１の残高を示す表示であり、ポイント数表示２０２は、ユーザに付与されたポイント数を示す表示である。カード残高表示２０１及びポイント数表示２０２は、ユーザＩＤをキーとしてポイント管理サーバ４から取得したカード１１の残高やポイント数に基づいて表示内容が制御される。
【００３４】
チャージボタン２０３は、ユーザがカード１１に所望の金額をチャージする際に用いられる。チャージボタン２０３が操作されるとチャージ画面が表示される。そして、このチャージ画面において、ユーザが所定のチャージ操作を行うと、ユーザＩＤと管理番号とが連携して、カード管理サーバ２へチャージ要求が行われる。
メニューボタン２０４は、キャリアサーバ３が提供する各種サービスのメニュー画面を呼び出す際に用いられる。メニューボタン２０４が操作されると、ユーザ端末１２には、図４（Ｂ）に示す表示画面２１０が表示される。
【００３５】
図４（Ｂ）に示すように、表示画面２１０には、ポイント用メニュー２１１と、ショッピング用メニュー２１２と、カード用メニュー２１３と、が含まれる。
ポイント用メニュー２１１は、「ポイントを利用して商品を購入する」、「ポイントを利用して特典（クーポン）を得る」等のように、ポイントの利用を促すメニューを含む。これにより、ユーザにはポイントを利用可能な様々なサービスが提供されるため、ユーザは、付与されたポイントを様々な場面で利用することができる。
【００３６】
ショッピング用メニュー２１２は、「ポイント優遇店の紹介」や、「カード１１を用いて買い物が可能な店舗を紹介する」等のようにカード１１の利用を促すメニューを含む。カード１１が利用されると、ポイント管理サーバ４において購入額に応じたポイントが付与されることになるため、このようなメニューを提供することで、ポイント付与の機会を増大することができる。
カード用メニュー２１３は、カード１１の利用明細を確認するためのメニューを含む。このメニューを選択することで、ユーザは、カード１１の利用履歴を確認することができる。
【００３７】
［電子通貨管理システムＳの動作］
以上、電子通貨管理システムＳの構成について説明した。続いて、図５〜図１４を参照して、電子通貨管理システムＳの動作について説明する。
【００３８】
［カード発行時の動作］
まず、図５及び図６を参照して、カード発行時の動作について説明する。電子通貨管理システムＳでは、使用できないようにロックした状態でカード１１を発行するとともに、カード１１とユーザ端末１２とを連携してカード１１のロックを解除する。ロックした状態とは、例えば、カード管理サーバ２側において決済やチャージ等の要求を不可とする状態である。
具体的には、図５に示すように、カード１１には、ユーザ端末１２が読み取り可能なＩＣ（Integrated Circuit）チップ１１１が設けられており、このＩＣチップ１１１をユーザ端末１２が読み取ることでカード１１のロックが解除され、カード１１が使用可能になる。なお、本実施形態では、カード１１にＮＦＣ（Near Field Communication）に対応したＩＣチップ１１１を設けておき、ユーザ端末１２は、自身が有するＮＦＣ通信機能を用いてＩＣチップ１１１を読み取ることとしている。
【００３９】
ここで、図６を参照して、カード発行時の処理の一例について説明する。
初めに、ステップＳ１において、カード発行事業者（カード管理サーバ２）は、ロック解除に使用可能な情報をＩＣチップ１１１に格納することで、当該情報をカード１１にセットする。なお、ＩＣチップ１１１に格納する情報は任意の情報であり、本実施形態では、例えば、ユーザ端末１２を識別するユーザＩＤを用いることとしている。カード１１にロック解除に使用可能な情報をセットすると、ステップＳ２において、カード管理サーバ２は、ユーザに対してカード１１を発行する。
【００４０】
カード管理サーバ２から発行されたカード１１が届くと、ステップＳ３において、ユーザは、ユーザ端末１２を用いてカード１１のＩＣチップ１１１を読み取る。即ち、ユーザがユーザ端末１２とカード１１とを接触させると、ユーザ端末１２が有するＮＦＣ機能が発揮され、ＩＣチップ１１１に格納されたロック解除に使用可能な情報をカード１１から読み取る。続いて、ステップＳ４において、ユーザ端末１２では、自身が有する情報と読み取った情報とが一致するか否かを判定する。このとき、両情報（ユーザＩＤ）が一致する場合には、ステップＳ５において、ユーザ端末１２は、使用許可要求を行い、ステップＳ６において、カード管理サーバ２は、発行したカード１１のロックを解除し、使用を許可する。他方、ステップＳ４において両情報が一致しない場合には、ステップＳ７において、ユーザ端末１２では所定のエラー処理が行われる。
【００４１】
以上、カード発行時の処理の一例について説明した。なお、カード１１にセットするロック解除に使用可能な情報は、所定の方式により暗号化しておくこととしてもよい。この場合、ユーザ端末１２において自身のユーザＩＤを暗号化した情報を持っておくこと、又は暗号鍵情報を記憶しておくことで、ユーザ端末１２において両情報が一致するか否かの判定を行うことができる。
また、図６に示す例では、ユーザ端末１２においてロック解除のための判定を行うこととしている。この点、当該判定をユーザ端末１２ではなく、カード管理サーバ２、キャリアサーバ３及びポイント管理サーバ４のいずれかで行うこととしてもよい。
【００４２】
なお、カード１１のロックを解除した後にユーザ端末１２がカード１１に設けられたＩＣチップ１１１を読み取ると、上述のアプリケーション実行中に表示される表示画面（例えば、図４（Ａ）に示す表示画面２００）を、ユーザ端末１２において自動的に表示することとしてもよい。即ち、ユーザ端末１２は、ＩＣチップ１１１を読み取ると、キャリアサーバ３に対して各種情報の要求を行い、この要求に応じて取得した情報を表示する。
【００４３】
［チャージ時の動作］
続いて、カード１１に金額をチャージする際の動作について説明する。図７は、トップ画面を示す表示画面２００（図４（Ａ）参照）において、チャージボタン２０３が操作された場合に表示されるチャージメニュー画面を示す表示画面２２０である。
【００４４】
図７に示すように、本実施形態の電子通貨管理システムＳでは、カード１１に金額をチャージする方法として、チャージ方法２２１及びチャージ方法２２２を少なくとも含む。チャージ方法２２１は、付与されたポイントの少なくとも一部のポイントを用いてカード１１に金額をチャージするチャージ方法であり、ポイントを所定のレートで金銭に変換することでチャージする。また、チャージ方法２２２は、キャリア決済を用いてチャージするチャージ方法である。このチャージ方法２２２では、チャージした金額をユーザ端末１２の請求額に加算して請求する。ここで、キャリア決済には、利用限度額が設定されている。この利用限度額は、ユーザの年齢やユーザの通信キャリアとの契約期間に基づいて予め設定される。なお、本実施形態では、チャージ方法２２１、２２２についてのみ説明するが、カード１１へのチャージ方法はこれらに限るものでなく、他の方法により実現することとしてもよい。例えば、ユーザが用いる銀行口座を予め設定しておき、この銀行口座を介してカード１１にチャージすることとしてもよい。
【００４５】
キャリア決済を用いてチャージを行う場合、ユーザは、現時点において現預金を持ち合わせていない場合であっても電子通貨の残高を増額させることができるものの、後払いする際に支払うことができないという問題が発生するおそれがある。そこで、本実施形態に係る電子通貨管理システムＳでは、キャリアサーバ３が、キャリア決済に係るチャージを制御することにより、ユーザに電子通貨を適切に利用させる。
以下、キャリアサーバ３が、キャリア決済に係るチャージを制御するための機能について詳細に説明する。
【００４６】
［キャリアサーバ３の構成］
図８は、本実施形態に係るキャリアサーバ３のチャージに係る構成を示す図である。キャリアサーバ３は、請求情報記憶部３１と、限度額情報記憶部３２と、ユーザ情報記憶部３３と、記憶部３４と、制御部３５とを備える。
【００４７】
請求情報記憶部３１は、ハードディスク等の記憶媒体であり、ユーザＩＤと、当該ユーザＩＤのユーザに対する請求額とを関連付けて記憶する。具体的には、請求情報記憶部３１は、図３（Ｂ）に示したように、ユーザＩＤと、請求額と、契約ＩＤ等とを関連付けて記憶している。
【００４８】
限度額情報記憶部３２は、図９（Ａ）に示すように、契約ＩＤと、当該契約ＩＤに紐づくユーザＩＤと、キャリア決済の利用限度額と、チャージの限度額と、チャージ金額の合計とを関連付けて記憶する。契約ＩＤは、キャリア決済を用いたチャージ、通信料金、及びユーザ端末１２で利用したコンテンツの利用料金等の支払の請求先を識別する請求識別情報である。チャージの限度額は、所定期間においてキャリア決済を用いてチャージすることができる金額の限度額であり、キャリア決済の利用限度額以下に設定される。ここで、限度額は、１つの契約ＩＤに対して１つしか設定されないものとするが、契約ＩＤに関連付けられる複数のユーザＩＤのそれぞれに個別に設定されてもよい。チャージ金額の合計は、所定期間においてユーザがチャージした金額の合計額である。また、所定期間とは、通信キャリアが予め定めた単位期間であり、例えば、１カ月である。
【００４９】
ユーザ情報記憶部３３は、図９（Ｂ）に示すように、契約ＩＤと、ユーザＩＤと、当該ユーザＩＤに対応するユーザの所定のサービスに関連する契約情報とを関連付けたユーザ情報を記憶する。ここで、契約情報には、ユーザの属性を示す属性情報として、ユーザの年齢を示す情報が含まれているとともに、ユーザの契約期間、及び各サービスの加入状況を示す情報が含まれている。
【００５０】
記憶部３４は、ＲＯＭ及びＲＡＭ等のメモリ、又はハードディスク等の記憶媒体である。記憶部３４は、制御部３５を動作させるためのプログラム、及び制御部３５が動作する際に生成されるデータを記憶する。
【００５１】
制御部３５は、例えばＣＰＵであり、記憶部３４に記憶されたプログラムを実行することにより、受付部３５１、チャージ部３５２、請求部３５３及び設定部３５４として機能する。
【００５２】
受付部３５１は、ユーザＩＤと、当該ユーザＩＤに対応するユーザが保有する電子通貨の残高にチャージする金額を示す金額情報とを含み、チャージを要求するためのチャージ要求を受け付ける。具体的には、受付部３５１は、ユーザ端末１２においてチャージ方法２２２が選択されると、ユーザ端末１２に図１０（Ａ）に示すキャリア決済に係るチャージ画面２３０を表示させる。図１０（Ａ）に示すチャージ画面２３０は、チャージ額選択表示２３１と、確定ボタン２３２とを含んで構成される。
【００５３】
ここで、受付部３５１は、所定期間におけるキャリア決済を使用したチャージの合計額が限度額を超えないように金額の選択を受け付ける。図１０（Ａ）に示すチャージ額選択表示２３１は、チャージする金額の選択を受け付けるものであり、ユーザによって押下されると、図１０（Ｂ）に示す複数の金額から選択を受け付けるリストが表示される。例えば、限度額が２万円であり、所定期間におけるキャリア決済を使用したチャージの合計額が１万５千円である場合、受付部３５１は、リストに含まれる金額の上限を５千円に設定する。受付部３５１は、リストから金額を選択された後、確定ボタン２３２が押下されると、ユーザＩＤと、チャージ要求と、チャージする金額とを受け付ける。
【００５４】
チャージ部３５２は、受付部３５１がチャージ要求を受け付けると、ユーザＩＤに対応する電子通貨の残高に金額を加算する。具体的には、受付部３５１がチャージ要求を受け付けると、チャージ部３５２は、ポイント管理サーバ４を介してカード管理サーバ２に、チャージの指示情報を送信することで、受け付けたユーザＩＤに対応する電子通貨の残高に金額を加算する。
【００５５】
ここで、受付部３５１がキャリア決済を使用したチャージの合計額が限度額を超えない金額の選択を受け付けるようにしていても、請求先が同一の複数のユーザが同時にチャージを行った場合、チャージした金額の合計が、請求先における所定期間における限度額を超えることがある。例えば、図９（Ａ）に示すように契約ＩＤ「ＫＩ００１」の限度額が３万円であり、チャージ金額の合計が２万円であったとする。この場合に、複数のユーザ端末１２のそれぞれからチャージを行おうとすると、１万円を上限としてチャージすることができる。このため、同時に１万円のチャージ要求が行われることにより、限度額を超えてしまう。
【００５６】
これに対して、チャージ部３５２は、受付部３５１がチャージ要求を受け付けた場合に、当該チャージ要求に含まれるユーザＩＤに関連付けられている請求先に対応する、チャージした金額の合計と、受け付けた金額との合計額が、所定期間における限度額を超えるとき、チャージせずに、エラーメッセージをユーザ端末１２に表示させる。このようにすることで、限度額を超えてユーザがチャージすることを防止できる。
【００５７】
請求部３５３は、受付部３５１がチャージ要求を受け付け、チャージ部３５２によるチャージが行われると、ユーザＩＤに対応するユーザに、チャージされた金額の支払を請求する。具体的には、請求部３５３は、ユーザＩＤに関連付けられている請求額にチャージ金額に相当する金額を加算し、所定のタイミングでユーザに対して請求する。
【００５８】
設定部３５４は、請求部３５３がユーザに請求した金額の支払状況に基づいて、所定期間においてチャージすることができる金額の限度額を設定する。ここで、設定部３５４は、ユーザＩＤに対応する、所定のサービスとしてのキャリア決済に関連する請求額の支払状況にさらに基づいて、限度額を設定する。
【００５９】
キャリアサーバ３では、ユーザＩＤに関連付けられている請求額に対応する支払が、支払期限以内に行われたか否かを管理している。当該請求額には、キャリア決済に係る支払に対応する金額として、キャリア決済を用いたチャージの金額と、キャリア決済を用いた商品又はサービスの購入額が含まれている他、通信キャリアが提供するサービスに係る支払に対応する金額も含まれており、当該請求額に対する支払は１回で行われる。このため、設定部３５４は、請求額に対応する支払が支払期限以内に行われたか否かに基づいて限度額を設定する。例えば、設定部３５４は、支払が支払期限以内に行われておらず、支払が遅延している場合に、ユーザの限度額を、予め設定されている限度額に比べて低く設定する。
【００６０】
また、キャリア決済を用いたチャージの金額と限度額との差が所定額以内である場合において支払が遅延していないとき、ユーザの限度額を予め設定されている限度額に比べて高く設定する。例えば、図９（Ａ）に示すように契約ＩＤ「ＫＩ００２」の限度額が２万円、チャージ金額の合計も２万円、当該チャージ金額の支払に遅延が発生していないものとする。この場合、設定部３５４は、限度額を３万円に設定する。
【００６１】
ここで、キャリア決済には、利用限度額が設定されていることから、チャージの限度額を高く設定することにより、商品やサービス等をキャリア決済によって購入可能な額が低くなる。このため、設定部３５４は、所定のサービスに関連する請求額の支払状況にさらに基づいて、限度額及び利用限度額を設定してもよい。例えば、キャリア決済に関連する請求額の支払状況が、支払が遅延していないことを示している場合、限度額及び利用限度額を高く設定してもよい。図９（Ａ）に示す例では、設定部３５４は、契約ＩＤ「ＫＩ００２」の限度額を３万円に設定した場合に、キャリア決済の利用限度額を５万円から６万円に増加させるようにしてもよい。
【００６２】
また、設定部３５４は、キャリア決済によるチャージが行われておらず、通信サービス等による請求のみがされている場合であっても、請求額に対応する支払が支払期限以内に行われておらず、支払が遅延しているときには、ユーザの限度額を、予め設定されている限度額に比べて低く設定してもよい。このようにすることで、キャリア決済によるチャージを過去に行っていないユーザについても、他のサービスの支払状況に基づいて限度額を適切に設定することができる。
【００６３】
また、設定部３５４は、ユーザが支払を行った際の支払方法に基づいて限度額を設定してもよい。支払方法としては、コンビニエンスストアを利用した支払、銀行振込による支払、口座振替による支払、クレジットカードによる支払等が存在する。このうち、口座振替による支払、及びクレジットカードによる支払は、指定した期日に口座から自動的に請求額が引き落とされるようにユーザが口座の残高を管理する必要があり、当該ユーザに金銭管理能力が要求される。このため、設定部３５４は、請求額に対応する支払が、口座振替による支払又はクレジットカードによる支払であり、支払期限内に行われている場合に、限度額を高く設定してもよい。
【００６４】
また、設定部３５４は、ユーザ情報記憶部３３に記憶されている契約情報に含まれるユーザの属性に基づいて限度額を設定してもよい。具体的には、設定部３５４は、ユーザの属性としてのユーザの年齢に基づいて限度額を設定する。例えば、年代別に収入が異なることから、設定部３５４は、収入が相対的に多い年代のユーザに対応する限度額を高く設定してもよい。このようにすることで、ユーザの属性に応じて最適な限度額を設定することができる。
【００６５】
また、設定部３５４は、契約情報に含まれるユーザの契約期間を示す情報に基づいて限度額を設定してもよい。例えば、契約期間が長いユーザは、契約期間が短いユーザに比べて安定して支払いを続けており信用度が高い。このため、設定部３５４は、契約期間が相対的に長いユーザに対応する限度額を高く設定してもよい。例えば、設定部３５４は、通信キャリアが提供するサービスへの加入月数が「１２ヶ月」のユーザに対応する限度額を５千円に設定し、加入月数「３６ヶ月」のユーザに対応する限度額を１万円に設定する。このようにすることで、信用度が高いユーザに限定して限度額を高く設定することができる。
【００６６】
続いて、チャージに係る処理の流れについて、図１１を用いて説明する。まず、図１１に示すように、ステップＳ１１において、ユーザ端末１２は、キャリアサーバ３に対してチャージ要求を行う。このチャージ要求では、ユーザ端末１２は、キャリアサーバ３に対してユーザＩＤとともに、チャージ方法及びチャージ金額を通知する。
【００６７】
キャリアサーバ３は、チャージ要求を受けると、ステップＳ１２において、ポイント管理サーバ４に対して、ユーザ端末１２からチャージ要求を受けたことを通知する。具体的には、キャリアサーバ３は、チャージ要求を受けたユーザ端末１２を識別するユーザＩＤを用いて、ポイント管理サーバ４に対して通知を行う。
【００６８】
続く、ステップＳ１３において、ポイント管理サーバ４では、ユーザＩＤに対応する管理番号を特定し、カード管理サーバ２に対して、当該管理番号に対応するカード１１に設定されたカード番号に関連付けられた口座に対して、要求された金額をチャージするように通知する。この通知を受けると、カード管理サーバ２では、管理番号に対応するカード番号のカード１１に設定されたカード番号に対応する口座に対して通知された金額を入金する。なお、このステップＳ１３の処理は、詳細には、ステップＳ１４Ａ，Ｂの処理が行われた後に行われることになる。
【００６９】
ステップＳ１４Ａは、チャージ方法２２１が選択された場合に実行される処理であり、ステップＳ１４Ｂは、チャージ方法２２２が選択された場合に実行される処理である。
ステップＳ１４Ａでは、ポイント管理サーバ４は、ユーザＩＤに関連付けられたポイントから、チャージ金額に相当するポイントを減算する。
【００７０】
また、ステップＳ１４Ｂでは、キャリアサーバ３は、ユーザＩＤに関連付けられている請求額にチャージ金額に相当する金額を加算し、所定のタイミングでユーザに対して請求する。
【００７１】
［商品購入時の動作］
続いて、図１２を参照して、カード１１を用いて商品を購入する際の動作について説明する。なお、カード１１は、現実の店舗やインターネット上の仮想店舗で用いることができる。
現実の店舗で商品を購入する場合、ステップＳ２１Ａに示すように、カードリーダーを介してカード１１を読み取ることで、国際ブランドが提供する決済ＮＷ５０にカード１１のカード番号及び商品購入に関する情報が通知される。なお、商品購入に関する情報とは、例えば、購入額、購入した商品、購入した店舗等の情報である。また、ステップＳ２１Ｂに示すように、仮想店舗で商品を購入する場合、ユーザ端末１２から決済ＮＷ５０にカード１１のカード番号及び商品購入に関する情報が通知される。
【００７２】
決済ＮＷ５０において所定の決済処理が行われる際には、ステップＳ２２において、決済ＮＷ５０からカード管理サーバ２に対してカード番号及び商品購入に関する情報が通知される。カード管理サーバ２では、これら情報を受けると、カード番号に対応する残高から購入額を減算して利用履歴を更新するとともに、減算処理が完了したことを決済ＮＷ５０に通知する。
【００７３】
続いて、ステップＳ２３において、カード管理サーバ２は、ポイント管理サーバ４に対して、カード番号に対応する管理番号とともに商品購入に関する情報を通知する。ポイント管理サーバ４では、取得した商品購入に関する情報に基づいて、管理番号に対応するユーザＩＤに関連付けられたポイントを更新する。
【００７４】
［ポイント付与時の動作］
続いて、図１３を参照して、ユーザに対してポイントを付与する際の動作について説明する。上述したように、本実施形態の電子通貨管理システムＳでは、カード１１を用いた商品の購入に応じてポイントを付与するとともに、ユーザ端末１２の利用に応じてもポイントを付与する。
【００７５】
商品の購入に応じてポイントを付与する場合、ステップＳ３１において、ポイント管理サーバ４は、カード管理サーバ２から管理番号とともに商品購入に関する情報を取得する。すると、ステップＳ３２において、ポイント管理サーバ４は、商品を購入した店舗に応じたレートを特定し、当該レートに基づいて購入額に応じたポイントを算出する。なお、このステップＳ３１、ステップＳ３２の処理は、ユーザがカード１１を用いて商品を購入する度に行われる。
購入額に応じたポイントを算出すると、ステップＳ３５において、ポイント管理サーバ４は、管理番号に対応するユーザＩＤに関連付けて記憶しているポイントに、算出したポイントを加算する。
【００７６】
また、ステップＳ３３において、ポイント管理サーバ４は、キャリアサーバ３からユーザＩＤとともに請求額を取得する。すると、ステップＳ３４において、ポイント管理サーバ４は、予め定められたレートに基づいて請求額に応じたポイントを算出する。なお、このステップＳ３３、ステップＳ３４の処理は、請求額が確定したタイミングで行われる。
請求額に応じたポイントを算出すると、ステップＳ３５において、ポイント管理サーバ４は、ユーザＩＤに関連付けて記憶しているポイントに、算出したポイントを加算する。
【００７７】
［ユーザに対してサービスを提供する際の動作］
続いて、図１４を参照して、電子通貨管理システムＳを利用するユーザに対して当該ユーザ固有のサービスを提供する際の動作について説明する。
【００７８】
ステップＳ４１において、ユーザ端末１２は、ユーザＩＤを伴いキャリアサーバ３にアクセスすると、ステップＳ４２において、キャリアサーバ３は、ユーザＩＤをポイント管理サーバ４に対して通知する。ステップＳ４３において、ポイント管理サーバ４は、通知されたユーザＩＤに応じたサービスに関する情報を取得し、キャリアサーバ３に通知し、ステップＳ４４において、キャリアサーバ３からユーザ端末１２に対して当該サービスが提供される。
なお、ポイント管理サーバ４ではユーザＩＤ毎にアクセス履歴を管理しており、このアクセス履歴に基づいて、前回アクセス時からの差分情報（利用金額、チャージ金額、ポイントの増減）と、現在の残高及び現在のポイント数とを取得する。そして、取得した情報がキャリアサーバ３を介してユーザ端末１２に提供されることで、ユーザ端末１２において前回との差分や現在の残高及びポイント数等が表示されることになる。
【００７９】
なお、ユーザＩＤに応じたサービスとは、例えば、当該ユーザが所有するカード１１の残高や付与されたポイントを確認可能にするサービスであり、また、ユーザの属性に合った商品を紹介（レコメンド）するサービス等である。
一例として、ポイント管理サーバ４は、ユーザＩＤに関連付けられた残高やポイントに基づいて、当該残高又はポイントで購入可能な商品、当該残高又はポイントでは足りないもののあと少し追加することで購入可能な商品等を紹介するサービスを提供する。また、ポイント管理サーバ４は、ユーザＩＤに関連付けられたユーザの属性（性別、年齢、生年月日、趣味嗜好）等に基づいて、当該ユーザが好む商品を紹介するサービスを提供する。このようなサービスについても、前回アクセス時から更新があったものを提供することができる。
【００８０】
また、ポイント管理サーバ４は、ユーザ端末１２を用いたサービスの提供者との契約が解除された場合に、ポイントを使用できない状態に変更してもよい。例えば、通信キャリアが、ユーザ端末１２を用いた通信サービスを提供し、通信料金に応じたポイントをユーザ端末１２のユーザに付与しているとする。この場合において、ポイント管理サーバ４は、ユーザ端末１２のユーザが通信キャリアとの契約を解除した旨の情報をキャリアサーバ３から取得すると、ユーザ端末１２に関連付けて記憶しているポイントを削除する。ポイント管理サーバ４は、ユーザ端末１２のユーザが通信キャリアとの契約を解除した旨の情報を取得すると、ポイントを使用できない旨を示すフラグを付加した状態でポイント残高を記憶してもよい。ポイント管理サーバ４は、ユーザが通信キャリアとの契約を、契約を解除してから所定期間以内に再開したという通知をキャリアサーバ３から受けた場合に、上記のフラグを変更することにより、ポイントを使用できるようにしてもよい。
【００８１】
［電子通貨管理システムＳによる効果］
以上説明した電子通貨管理システムＳでは、カード管理サーバ２と、キャリアサーバ３と、ポイント管理サーバ４とが連携することにより、カード番号とユーザＩＤとを関連付けて管理することができる。したがって、キャリアサーバ３は、ユーザ端末１２からの要求に応じて、ユーザＩＤに関連付けられたカード番号に対応する口座に貯まっている電子通貨の残高を、ポイント管理サーバ４を介してカード管理サーバ２から取得し、ユーザ端末１２に電子通貨の残高を通知することができる。このようにすることで、電子通貨管理システムＳにおいては、ユーザが、電子通貨の口座に関する情報をユーザ端末１２に入力することなく、あたかもユーザ端末１２に関連付けて電子通貨が管理されているかのような感覚で、電子通貨の残高を把握することができる。
【００８２】
また、電子通貨管理システムＳでは、ユーザに請求された金額の支払状況に基づいて、所定期間においてチャージすることができる金額の限度額を設定する。ユーザそれぞれの支払能力に応じて適切な限度額を設定し、ユーザに電子通貨を適切に利用させることができる。
【００８３】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【００８４】
上述の説明では、設定部３５４は、ユーザに請求された金額の支払状況に基づいて、所定期間においてキャリア決済によってチャージすることができる金額の限度額を設定することとしたがこれに限らない。設定部３５４は、カード１１に対応する電子通貨の残高に対してチャージして保有することができる金額の限度額（保有限度額）を設定してもよい。例えば、設定部３５４は、ユーザに請求された金額の支払状況に基づいて、保有限度額を調整できるようにしてもよい。また、設定部３５４は、ユーザに請求された金額の支払状況に基づいて、図１０（Ｂ）に示す、キャリア決済を用いて１度にチャージすることができる金額の上限を設定してもよい。
【符号の説明】
【００８５】
Ｓ・・・電子通貨管理システム、１・・・ユーザ機器、１１・・・カード、１２・・・ユーザ端末、１０・・・電子通貨管理装置、２・・・カード管理サーバ、３・・・キャリアサーバ、３１・・・請求情報記憶部、３２・・・限度額情報記憶部、３３・・・ユーザ情報記憶部、３４・・・記憶部、３５・・・制御部、３５１・・・受付部、３５２・・・チャージ部、３５３・・・請求部、３５４・・・設定部、４・・・ポイント管理サーバ、５０・・・決済ＮＷ
【図１】
2016071656.tif 000003
【図２】
2016071656.tif 000004
【図３】
2016071656.tif 000005
【図４】
2016071656.tif 000006
【図５】
2016071656.tif 000007
【図６】
2016071656.tif 000008
【図７】
2016071656.tif 000009
【図８】
2016071656.tif 000010
【図９】
2016071656.tif 000011
【図１０】
2016071656.tif 000012
【図１１】
2016071656.tif 000013
【図１２】
2016071656.tif 000014
【図１３】
2016071656.tif 000015
【図１４】
2016071656.tif 000016